(57)【要約】 【課題】   一方の手で容器を持ち、他方の手でキャップオープナーを持って簡単にキャップに嵌めて係合させ、弱い力でも簡単にキャップを取り外すことができ、複数のキャップサイズにも適応でき、携帯も可能なキャップオープナーを提供する。【解決手段】 キャップオープナー１は、把持体２と、平ベルト３からなり、把持体２は長方形の平板で、前方が略への字状に曲折形成されて押え部２１と把手２３を備え、平ベルト３は、低い伸び率で、摩擦力の大きい柔軟性を有した平ベルト３の両側の面が合わさって、握り部３２とループ状のキャップ装着部３１が形成され、押え部２１の下方に位置した状態で把持体２の把手２３に、握り部３２が鋲４で固着され、把手２３と鋲４と握り部３２の外周に収縮チューブが被り、把手２３を握り易くした構造である。【選択図】図１
2020104858.tif 000002
【特許請求の範囲】
【請求項１】
把持体と、ベルト状弾性体からなり、前記把持体は、長方形の平板が略への字状に曲折形成され、押え部と、把手を備え、前記ベルト状弾性体は、両側の面が合わさって、握り部とループ状のキャップ装着部が形成され、前記把持体の把手に、前記ベルト状弾性体の握り部が固着された構造を特徴とするキャップオープナー。  
【請求項２】
前記把持体の把手と、該把手に固着された前記ベルト状弾性体の握り部の外周に、収縮チューブが被せられたことを特徴とする請求項１に記載のキャップオープナー。  
【請求項３】
前記把持体の把手の後端部に、ストラップで吊り下げ可能な抜き孔が設けられたことを特徴とする請求項１又は請求項２のいずれか１項に記載のキャップオープナー。
【請求項４】
前記把持体の把手の前方で曲折部の近傍に突起部が設けられ、装飾品の装着可能な抜き孔が設けられたことを特徴とする請求項１から請求項３のいずれか１項に記載のキャップオープナー。
【発明の詳細な説明】
【技術分野】
【０００１】
本発明は、ペットボトル等の飲料容器の開口部に取り付けられた回転式キャップを取り外すための補助具のキャップオープナーに関するものである。
【背景技術】
【０００２】
一般に、飲料容器は飲料を収容する容器と、その開口部を塞ぐ回転式キャップで構成され、市販段階において、飲料の漏洩を防止するために容器本体の開口部側に固着リングを取り付け、該固着リングに回転式キャップの端を数点で固着させた対策が施されている。その為、最初にキャップを開ける時は前記固着部分を引きちぎることになり、通常のキャップの開閉に比べ、より多くの力が必要となり、力の弱い子供や女性、高齢者等、握力や腕力の弱い人にとっては、上記回転式キャップを取り外すことが非常に困難になる。
そこでペットボトル等の飲料容器のキャップが取り外せるように、各種のキャップオープナーが提案されている。
【０００３】
例えば、特許文献１のキャップオープナーは、一方の端が斜めに形成されたパイプの内径側にベルトの一端部がビスで固定され、他端部が、前記パイプの斜めに形成された部分側より挿入され、前記ベルトの中央部分が環状になり、該環状部分をキャップに巻きつけて取り外す構造が記載されている。
【０００４】
特許文献２のキャップオープナーは、ペンチ状の挟み方式で、一方の握り部の先端部分にキャップの直径に合わせた円周部が設けられ、他方の握り部の先端部分が円弧上に形成されキャップの外径に係合するように複数の爪部が設けられ、前記円周部にキャップを嵌め、前記握り部の両方を握り、前記爪部をキャップに押し当て取り外す構造が記載されている。
【０００５】
特許文献３のキャップオープナーは、任意の形状に略復元可能な板状のヒンジの両端に、キャップと接する内周に滑り止めを備えたグリップが設けられ、該グリップを手で把持することにより前記内周の滑り止めとキャップの外周が係合し、キャップを取り外す構造が記載されている。
【０００６】
特許文献４のキャップオープナーは、長方形ラバーの後端部に半円状の切込みが施された台座部分が形成され、中央部から先端部は、台座部分と一体化されたベルト状に形成され、該ベルト状の内外周に滑り止めが設けられ、ベルト状の内周の滑り止め部分にキャップを入れ、ベルト状の外周部分を指で挟み台座を握ってキャップを取り外す構造が記載されている。
【０００７】
特許文献５のキャップオープナーは、弾性材からなるボード状又はループ化したベルト状のキャップオープナー部材を日常携帯物と連結する為の連結部材とで構成され、前記ベルト状のキャップオープナー部材をキャップに巻きつけて取り外す構造が記載されている。
【先行技術文献】
【特許文献】
【０００８】
【特許文献１】実用新案登録第３０９３８１６号公報
【特許文献２】特開２００９−２４９０３５号公報
【特許文献３】特開２０１４−２３４２０３号公報
【特許文献４】特開平１０−２４５０９８号公報
【特許文献５】特開２００７−１０６４２２号公報
【発明の概要】
【発明が解決しようとする課題】
【０００９】
特許文献１に記載されたキャップオープナーは、キャップの大小、形状に関係なく１個で種々に適応可能であるが、キャップにベルトを嵌める場合、一方の手でパイプグリップを持ち、他方の手でベルトを引く動作が必要となり、キャップにキャップオープナーを装着後、一方の手は容器に持ち替えることになり、持ちかえる煩わしさと、持ちかえる時にベルトが緩みキャップからベルトが外れ、やり直しが生じる場合がある。さらに、すべてのキャップに適応させた場合は、長さと太さのあるパイプとベルトが必要となり、携帯に不向きである。
【００１０】
特許文献２と特許文献３に記載されたキャップオープナーは、一種類のキャップに限定され、特許文献２のキャップオープナーは弱い力で取り外しは可能であるが、形状が大きくなり携帯用としては適さない。特許文献３のキャップオープナーは、携帯は容易であるが、二分割された外径は、キャップの外径より少し大きい程度であり、取り外しの際強い力が必要となる。    
【００１１】
特許文献４と５に記載されたキャップオープナーは、キャップの大小、形状に関係なく１個で種々に適応可能で、携帯も容易であるが、滑り止め効果を期待したもので、キャップの外周の近傍を回すことになり、弱い力で取り外すことは困難である。
【００１２】
本発明は、このような従来の構造が有していた問題を解決しようとするものであり、一方の手で容器を持ち、他方の手でキャップの外周にキャップオープナーを嵌め、弱い力でも簡単にキャップを取り外すことができ、複数のキャップサイズにも対応でき携帯も可能なキャップオープナーの提供を目的とする。
【課題を解決するための手段】
【００１３】
キャップオープナーは、把持体とベルト状弾性体からなり、前記把持体は、長方形の金属板、又は、剛性の高い合成樹脂板の平板が略への字状に曲折形成され、前部に押え部と、中央部と後部に把手を備え、前記ベルト状弾性体は、伸び率が極めて低い布状基材の片側、又は、両側に、摩擦力の高いゴム、又は、合成樹脂が接着、又は、コーティングされて柔軟性を有したベルト状に形成され、該ベルト状に形成された両側の面が所定の区間合わさって、握り部とループ状のキャップ装着部が形成され、前記把持体の押え部側に前記キャップ装着部が位置した状態で前記把手に、前記ベルト状弾性体の握り部が鋲止め、又はねじ止めによる固着、或は強力な接着材で固着された構造を要旨とする。
【００１４】
前記把持体の把手と、該把手に固着された前記把持体の握り部が、前記鋲、又はねじ止めにより固着された部分の外周に収縮チューブを被せ、持ち易さを向上させた構造を要旨とする。
【００１５】
前記把持体の把手の後端部に、市販されているフック、又は、ストラップで吊り下げ可能な抜き孔が設けられた構造を要旨とする。
【００１６】
前記把持体の把手の前方で曲折部の近傍に突起部が設けられ、装飾品の装着可能な抜き孔が設けられ、取り外すキャップのサイズをある程度限定し、該サイズに合わせた前記ループ状のキャップ装着部のサイズ縮小と、固着部の位置変更により、前記収縮チューブの装着性向上による安価な製造と、より携帯が容易になる構造を要旨とする。
【発明の効果】
【００１７】
把持体の把手に、ベルト状弾性体でループ状のキャップ装着部が形成されて、固着されたことにより、色々なサイズのキャップに適応でき、容器を片方の手で持ち、他方の手でキャップオープナーを持ってキャップ挿入部をキャップ上部外周に軽く押し当てればワンタッチで嵌めこむことができ、そのままオープン側方向に回せば、キャップにしっかりベルト状弾性体が密着して、梃子の原理により、弱い力で簡単に外すことができる。又、細い把持体とベルト状弾性体は、収納性、携帯性にも優れている。  
【図面の簡単な説明】
【００１８】
【図１】本発明の第一実施例のキャップオープナーの組み付け状態を示す正面図である。
【図２】図１の平面図である。
【図３】図１の右側面図である。
【図４】本発明の第一実施例のキャップオープナーの完成品状態の正面図である。
【図５】図４の右側面図である
【図６】図５のＡ−Ａ断面図である。
【図７】本発明のキャップオープナーで、Φ２０ｍｍからΦ４０ｍｍまでのキャップを取り外す際のキャップ挿入部と把手の状態を示す説明図である。
【図８】本発明の第二実施例のキャップオープナーの組み付け状態を示す正面図である。
【図９】本発明の第二実施例のキャップオープナーの完成品状態の正面図である。
【図１０】図９の平面図である。
【発明を実施するための形態】
【００１９】
本発明の実施の形態に係わるキャップオープナー１の第一実施例について、以下図１〜図７を参照して詳細に説明し、第二実施例について図８から図１０を参照して詳細に説明する。
【００２０】
本実施形態における図面上での説明は、押え部２１が前方と上方側で、把手２３側を後方とし、キャップ装着部３１を下方側とする。又、ベルト状弾性体は、平ベルト３として説明する。
【００２１】
本実施形態の第一実施例のキャップオープナー１は、図１〜図３に示す、把持体２と平ベルト３（ベルト状弾性体）からなり、把持体２は、長方形の平板が略への字状に曲折形成されて前部に押え部２１と、中央部と後部に把手２３が設けられ、平ベルト３は、両側の面が所定の区間合わさって握り部３２とループ状のキャップ装着部３１が形成され、把持体２の押え部２１の下方にキャップ挿入部３１が位置した状態で、把手２３に握り部３２が鋲４で固着された状態の構成を基本とする。    
【００２２】
図１と図２に示す把持体２は平板で、幅５mm〜１５mm程度の金属板、又は、合成樹脂板で形成され、押え部２１は把持体２の把手２３が水平状態で曲折部２２を基点に、上方へ曲折される。押え部２１の先端から曲折部２２からまでの距離は、キャップ装着部３１のサイズにより、任意に設定可能である。上方への曲折角度は、種々のサイズに適応させるため６０度程度が望ましいが、３０度から４５度程度でもよく、任意に設定は可能である。
【００２３】
把持体２の曲折部２２から把手２３の後端部までの略中間の位置に鋲４を挿入する抜き孔、又はネジ止め用のネジ孔が設けられ、後端部にフック、又はストラップ、或は金属製のリングが挿入可能な抜き孔Ａ２４が設けられている。
【００２４】
図７に示す、把持体２の平板の厚さは、金属板は２ｍｍから３ｍｍ程度が望ましく、合成樹脂は、キャップ６を外す際、押え部２１を基点にして把手２３に力が加えられても十分に耐えることのできる強度の厚さと材質が必要である。
【００２５】
図１から図３に示す平ベルト３は、所定の長さと幅を有し、伸び率が低く柔軟性を有した布状の基材の片側、又は、両側に、摩擦力の大きいゴム、又は、合成樹脂が接着、又は、コーティングされて弾力性を有したベルト状に形成されている。又、平ベルト３は、前記と同様な製造方法の小形モータ用として使用される市販品の平ベルトでもよい。
【００２６】
平ベルト３の幅は、１０ｍｍ程度が望ましいが、５ｍｍから１５ｍｍ程度であればよく、厚さは、１ｍｍから２ｍｍ程度が良好であり、図７に示す、キャップ６に平ベルト３のキャップ装着部３１を密着（係合）させて取り外す際、押え部２１を基点にして把手２３に力が加えられても伸びることなく十分に耐えることのできる強度と、滑ることのない摩擦力が確保されていればよい。
【００２７】
平ベルト３の握り部３２は、両側の各面が両端部から中央部に向けて所定の長さに合わさって形成され、中央部は、平ベルト３が有する弾力によりループ状となり、キャップ装着部３１が形成され、キャップ装着部３１の面はキャップ６の外周面と密着し易い柔軟性と、大きい摩擦力を備え、押え部２１の下方に位置し、曲折部２２と隣接した状態で、曲折部２２から鋲４まで所定の間隔を有して密着され、鋲４から把手２３の後部の抜き孔Ａ２４の手前までの区間も密着した状態で固着される。
【００２８】
平ベルト３の上面が曲折部２２から鋲４までの間、所定の間隔を有して固着され、キャップ装着部３１が押え部２１の下方に位置したことにより、キャップ装着部３１に余裕ができ、図７に示す、色々なサイズのキャップに適応可能となった。  
【００２９】
キャップ装着部３１の握り部３２を把持体２の把手２３へ固着する方法は、握り部３２に抜き孔が設けられ、把手２３の抜き孔と合わせ、鋲４を挿入してカシメをする方法と、把手２３にねじ止めする方法、又は、強力な接着剤により接着する方法も可能がある。
【００３０】
図３に示す平ベルト３の幅は、握り易くするため、把持体２に合わせた同一の幅が望ましいが、特に限定されることはなく握り易いデザインとサイズであればよい。
【００３１】
図４から図６に示す収縮チューブ５Ｓは、キャップ装着部３１を安定させ、キャップ６への挿入を容易にするため、曲折部２２から鋲４までの間に挿入され、平ベルト３が把持体２の把手２３に密着される。
【００３２】
収縮チューブ５Ｓは、握り部３２が鋲４で固着される前に挿入され、収縮作業は、固着の前後どちらでもよい。又、曲折部２２から鋲４までの間は収縮チューブ５Ｓに替り接着剤にて固着することも可能である。曲折部２２から鋲４までの間隔が短くて、キャップ装着部３１が安定すれば省略することも可能である。
【００３３】
収縮チューブ５Ｌは、鋲４から抜き孔Ａ２４の手前までの間に挿入され、鋲４を完全に被せた状態で、抜き孔Ａ２４には被らない状態で収縮され、把手２３と握り部３２を一体化させて固定する。
【００３４】
収縮チューブ５Ｓと５Ｌは、通常の市販品が利用でき、サイズ、カラー、収縮率等の種類は種々あるので、把手２３と握り部３２に挿入できるサイズで、収縮させた場合に、把手２３と握り部３２を密着させ、確実に固定できれば、サイズの選択は可能である。
【００３５】
図７の（ａ）から（ｅ）は、キャップオープナー１のキャップ装着部３１の平ベルト３の面がキャップ６に密着して取り外す直前の図であり、（ａ）のキャップ６の外径は２０ｍｍで、順次５ｍｍとびに（ｂ）が２５ｍｍ、（ｃ）が３０ｍｍ、（ｄ）が３５ｍｍ、（ｅ）が４０ｍｍのキャップ６に対し、押え部２１と把手２３（収縮チューブ５Ｌ部）の状態を示したものであり、押え部２１の何れかの部位が支点となり、把手２３が力点となって、小さな力でキャップ６を外すことができる状態が示されている。
【００３６】
図７（ａ）のキャップ６の外径２０ｍｍから（ｅ）の外径４０ｍｍまでの中間の寸法はすべて使用が可能であり、家庭の調味料入れ等のキャップ外径が４０ｍｍ以上の大きなものについては、キャップオープナー１と同一形状で、押え部２１と、キャップ装着部３１のサイズを大きく変更すれば、携帯性は損なわれるが、対応可能となり、二種類製作することにより家庭で使用するすべてのキャップ６に適応可能となる。
【００３７】
第一実施例のキャップオープナー１の使用例は、市販で多く売られているペットボトル（キャップの外径３０ｍｍ）を例にした場合、通常左手でペットボトルを持ち、右手でキャップオープナー１の把手２３（収縮チューブ５Ｌ部）を持ち（軽く摘まむ程度でもよい）、キャップ６の外周上端部にキャップ装着部３１の中央部の両サイドを斜め（キャップ６の上面に対して把手３の後端部が水平から約２０度下がった状態）に当て、前方に押し出しながらキャップ装着部３１を下方へ移動させ、キャップ６の軸線と把手３が直角状態にすれば挿入が完了する。    
【００３８】
挿入が完了した状態から、図７に示す、把手２３をオープン側方向に回せば、押え部２１が平ベルト３を押え、平ベルト３のキャップ装着部３１とキャップ６の外周が密着（係合）し、取り外すことができる。  
【００３９】
キャップオープナー１の特徴は、伸び率の少ない基材に、ゴム、又は、合成樹脂の摩擦力が大きく、密着性の良い材質が使用された平ベルト３の両側の面が合わさって、握り部３２とループ状のキャップ装着部３１が形成され、把持体２の把手２３に、握り部３２を固着して収縮チューブ５Ｌで一体化したことにより、キャップオープナー１が持ち易く、キャップ６にワンタッチで装着可能となり、梃子の原理により、少ない力で取り外しができ、平ベルト３と把持体２の幅が細く形成されたことにより収納性と携帯性が容易となった。
【００４０】
本実施形態の第二実施例は、図８から図１０に示す、各種の需要に対応可能にする為、キャップ６の外径をある程度限定し、キャップ装着部３１をコンパクト化して携帯性をさらに容易にし、装飾品等の小物類の装着を可能にしたもので、キャップオープナー１の基本構成は、第一実施例と同一である。
【００４１】
図８に示す、把持体２は平板で、幅５mm〜１５mm程度の金属板、又は、合成樹脂板で形成され、曲折部２２の近傍に突起部２６が図１０に示す、キャップ挿入口７の反対側に設けられ、突起部２６の中心部に抜き孔Ｂ２５が設けられている。
【００４２】
把持体２の把手２３に、平ベルト３の握り部３２を固着する鋲４の位置を曲折部２２に接近させ、突起部２６の近傍に位置した状態で鋲４のカシメにより固着される、
【００４３】
図９と図１０に示す収縮チューブ５Ｌは、把手２３と握り部３２を一体化させて握り易くする為、突起部２６の直後から抜き孔Ａ２４の手前までの間に挿入され、鋲４を完全に被せた状態で、抜き孔Ａ２４には被らない状態で収縮される。
収縮チューブ５Ｌの挿入は突起部２６に押し当てることにより位置決めができ、作業性が良好となる。
【００４４】
第二実施例のキャップオープナー１の使用例は、キャップ挿入口７の反対側に突起部２６が位置する為、抜き孔Ｂ２５に装飾品が装着されてもキャップ挿入の障害にはならないので、第一実施例と同様、通常左手でペットボトルを持ち、右手でキャップオープナー１の把手２３（収縮チューブ５Ｌ部）を持ち（軽く摘まむ程度でもよい）、キャップ６の外周上端部にキャップ装着部３１の中央部の両サイドを斜め（キャップ６の上面に対して把手３の後端部が水平から約２０度下がった状態）に当て、前方に押し出しながらキャップ装着部３１を下方へ移動させて嵌め、キャップ６の軸線と把手３を直角状態にして密着（係合）させ、把手２３をオープン側方向に回す。
【００４５】
以上、本発明の実施の形態を詳述したが、本発明は上記実施の形態に限定されるものではなく本発明の趣旨を逸脱しない範囲で種々の改変は可能である。
例えば、
【符号の説明】
【００４６】
１  ・・・・・・・・  キャップオープナー    
２  ・・・・・・・・  把持体
２１  ・・・・・・・  押え部
２２  ・・・・・・・  曲折部
２３  ・・・・・・・  把手
２４  ・・・・・・・  抜き孔Ａ
２５  ・・・・・・・  抜き孔Ｂ
２６  ・・・・・・・  突起部
３  ・・・・・・・・  平ベルト（ベルト状弾性体）
３１  ・・・・・・・  キャップ装着部
３２  ・・・・・・・  握り部
４  ・・・・・・・・  鋲
５Ｓ・５Ｌ  ・・・・  収縮チューブ  
６  ・・・・・・・・  キャップ
７  ・・・・・・・・  キャップ挿入口
【図１】
2020104858.tif 000003
【図２】
2020104858.tif 000004
【図３】
2020104858.tif 000005
【図４】
2020104858.tif 000006
【図５】
2020104858.tif 000007
【図６】
2020104858.tif 000008
【図７】
2020104858.tif 000009
【図８】
2020104858.tif 000010
【図９】
2020104858.tif 000011
【図１０】
2020104858.tif 000012
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
把持体と、平ベルトからなり、前記把持体は、長方形の平板が略への字状に曲折形成され、前部に押え部と、中央部と後部に把手を備え、前記平ベルトは５ｍｍから１５ｍｍの幅と、１ｍｍから２ｍｍの厚さを有したモータ用平ベルト、又は伸び率が低く摩擦力の大きい平ベルトの両側の面が所定の区間合わさって、ループ状のキャップ装着部と握り部が形成され、前記キャップ装着部は、前記押え部の下方に位置し、前記把持体の曲折部と隣接した状態で、前記平ベルトの握り部が前記把持体の曲折部から所定の間隔を有して前記把手の中央部に、鋲、又はネジで固着された構造を特徴とするキャップオープナー。  
【請求項２】
前記把持体の曲折部から前記鋲、又はネジによる前記平ベルトの固着部までの区間に、前記把手と、該把手に密着した側の前記平ベルトとの外周に収縮チューブが挿入され、さらに前記鋲、又はネジ部の外周から、前記把持体の把手の後部と、該把手の後部に固着された前記平ベルトの握り部の外周に他の収縮チューブが挿入され、固定されたことを特徴とする請求項１に記載のキャップオープナー。
【手続補正２】
【補正対象書類名】明細書
【補正対象項目名】００１３
【補正方法】変更
【補正の内容】
【００１３】
キャップオープナーは把持体と、平ベルトからなり、前記把持体は、長方形の平板が略への字状に曲折形成され、前部に押え部と、中央部と後部に把手を備え、前記平ベルトは５ｍｍから１５ｍｍの幅と、１ｍｍから２ｍｍの厚さを有したモータ用平ベルト又は、伸び率が低く摩擦力の大きい平ベルトの両側の面が所定の区間合わさって、ループ状のキャップ装着部と握り部が形成され、前記キャップ装着部は、前記押え部の下方に位置し、前記曲折部と隣接した状態で、前記平ベルトの握り部が前記把持体の曲折部から所定の間隔を有して密着され、前記把手の中央部に、鋲によるカシメ、又はネジ止めによる固着、或は強力な接着材で固着された構造を要旨とする。
【手続補正３】
【補正対象書類名】明細書
【補正対象項目名】００１４
【補正方法】変更
【補正の内容】
【００１４】
前記把持体の曲折部から前記鋲、又はネジによる前記平ベルトの固着部までの区間に、前記把手と、該把手に密着した側の平ベルトとの外周に収縮チューブが挿入されて、前記キャップ挿入部の安定とキャップ挿入を容易にするための位置決めとなり、さらに前記鋲、又はネジ部の外周から、前記把持体の把手の後部と、該把手の後部に固着された前記ベルトの握り部の外周に他の収縮チューブが挿入され、収縮により固定され、持ち易さを向上させた構造を要旨とする。
【手続補正４】
【補正対象書類名】明細書
【補正対象項目名】００２４
【補正方法】変更
【補正の内容】
【００２４】
図７に示す、把持体２の平板の厚さは、金属板は２ｍｍから３ｍｍ程度で、平ベルトと同一の幅が望ましく、合成樹脂は、キャップ６を外す際、押え部２１を基点にして把手２３に力が加えられても十分に耐えることのできる強度の厚さと材質が必要である。
【手続補正５】
【補正対象書類名】明細書
【補正対象項目名】００２５
【補正方法】変更
【補正の内容】
【００２５】
図１から図３に示す平ベルト３は、所定の長さと幅を有し、伸び率が低く柔軟性を有した布状の基材の片側、又は、両側に、摩擦力の大きいゴム、又は、合成樹脂が接着、又は、コーティングされて弾力性を有したベルト状に形成されている。又、平ベルト３は、前記と同様な製造方法の小形モータ用として使用されている市販品の平ベルトは安価で使用に適している。
【手続補正６】
【補正対象書類名】明細書
【補正対象項目名】００２７
【補正方法】変更
【補正の内容】
【００２７】
平ベルト３の握り部３２は、両側の各面が両端部から中央部に向けて所定の長さに合わさって形成され、中央部は、平ベルト３が有する弾力によりループ状となり、キャップ装着部３１が形成され、キャップ装着部３１の面はキャップ６の外周面と密着し易い柔軟性と、大きい摩擦力を備え、押え部２１の下方に位置し、曲折部２２と隣接した状態で、曲折部２２から鋲４まで所定の間隔を有して密着され、鋲４から把手２３の後部の抜き孔Ａ２４の手前までの区間も密着した状態で把手の中央部に固着される。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
把持体と、平ベルトからなり、前記把持体は、長方形で５ｍｍ〜１５ｍｍの幅と、２ｍｍから３ｍｍの厚さを有した金属の平板が略への字状に曲折形成され、前部に押え部と、中央部と後部に把手を備え、前記平ベルトは５ｍｍから１５ｍｍの幅と、１ｍｍから２ｍｍの厚さを有し、前記平ベルトは、モータ用平ベルト、又は伸び率が低く摩擦力の大きい平ベルトからなり、前記平ベルトの両側の面が所定の区間合わさって、ループ状のキャップ装着部と握り部が形成され、前記平ベルトの握り部が前記把持体の曲折部から所定の間隔を有して前記把手の中央部に、鋲、又はネジで固着され、前記把持体の曲折部から前記平ベルトの固着部までの所定の区間に、前記把持体の把手と、該把手に接した側の前記平ベルトとの外周に収縮チューブが挿入されて、前記平ベルトが前記把手に密着され、さらに前記鋲、又はネジ部の外周から、前記把持体の把手の後部と、該把手の後部に固着された前記平ベルトの握り部の外周に他の収縮チューブが挿入され、固定された構造を特徴とするキャップオープナー。
【手続補正２】
【補正対象書類名】明細書
【補正対象項目名】００１３
【補正方法】変更
【補正の内容】
【００１３】
キャップオープナーは把持体と、平ベルトからなり、前記把持体は、長方形で５ｍｍ〜１５ｍｍの幅と、２ｍｍから３ｍｍの厚さを有した金属の平板が略への字状に曲折形成され、前部に押え部と、中央部と後部に把手を備え、前記平ベルトは５ｍｍから１５ｍｍの幅と、１ｍｍから２ｍｍの厚さを有し、前記平ベルトは、モータ用平ベルト、又は伸び率が低く摩擦力の大きい平ベルトからなり、前記平ベルトの両側の面が所定の区間合わさって、ループ状のキャップ装着部と握り部が形成され、前記キャップ装着部は、前記押え部の下方に位置し、前記曲折部と隣接した状態で、前記平ベルトの握り部が前記把持体の曲折部から所定の間隔を有して密着され、前記把手の中央部に、鋲によるカシメ、又はネジ止めによる固着、或は強力な接着材で固着された構造を要旨とする。
【手続補正３】
【補正対象書類名】明細書
【補正対象項目名】００１４
【補正方法】変更
【補正の内容】
【００１４】
前記把持体の曲折部から前記鋲、又はネジによる前記平ベルトの固着部までの区間に、前記把手と、該把手に接した側の平ベルトとの外周に収縮チューブが挿入されて、前記平ベルトが前記把手に密着され、前記キャップ挿入部の安定とキャップ挿入を容易にするための位置決めとなり、さらに前記鋲、又はネジ部の外周から、前記把持体の把手の後部と、該把手の後部に固着された前記ベルトの握り部の外周に他の収縮チューブが挿入され、収縮により固定され、持ち易さを向上させた構造を要旨とする。